(57)【要約】      （修正有）【課題】歯ブラシのヘッドを下向きにして歯ブラシを清潔に保持可能であって、歯ブラシからの水垂れが直接洗面台の洗面器及び台所のシンクの内部、並びに、浴室床に落下するようになっており、保持された歯ブラシが突然落下することを防止できる歯ブラシ保持具を提供すること。【解決手段】歯ブラシ保持具１は、台座２と、台座２から上方に延びるシャフト部３と、シャフト部３の台座２に近い位置にシャフト部３の軸線を中心に回動自在に取り付けられている把持部４と、シャフト部３の上端に近い位置にシャフト部３の軸線を中心に回動自在に取り付けられている支持部５とを有する。歯ブラシ保持具１に保持される歯ブラシ６は、使用者が手で持つハンドル６３と植毛されているヘッド６１と、ハンドル６３とヘッド６１を繋ぐネック６２とを有する。歯ブラシ保持具１は、歯ブラシ６のヘッド６１を下向きにして保持可能となっている。【選択図】図１
2018029812.tif 000002
【特許請求の範囲】
【請求項１】
歯ブラシのヘッドを下向きにして保持可能な歯ブラシ保持具であって、
台座と、
この台座から上方に延びるシャフト部と、
このシャフト部の前記台座に近い位置に前記シャフト部の軸線を中心に回動自在に取り付けられており、前記シャフト部の軸線から離れた位置まで延出した先端に、前記歯ブラシのネックから前記歯ブラシのハンドルにかけて歯ブラシの横断面の面積が増大する部分を引掛けることができる把持部と、
前記シャフト部の上端に近い位置に前記シャフト部の軸線を中心に回動自在に取り付けられており、前記把持部の上方で前記歯ブラシのハンドルが立てかけられた状態で支持可能な支持部とを有することを特徴とする歯ブラシ保持具。
【請求項２】
前記把持部の先端近傍には、Ｉ型歯間ブラシのヘッドを下向きにした保持可能な歯間ブラシ保持孔が形成されていることを特徴とする請求項１に記載の歯ブラシ保持具。
【請求項３】
前記シャフト部の軸線を中心に回動自在に取り付けられており、前記シャフト部の軸線から離れた位置において、コップの開口が下向きになるように引掛けることができるコップ掛けをさらに有することを特徴とする請求項１又は２に記載の歯ブラシ保持具。
【請求項４】
前記シャフト部の軸線から延出している前記把持部の先端までの長さは、調節可能となっていることを特徴とする請求項１乃至３のいずかに記載の歯ブラシ保持具。
【発明の詳細な説明】
【技術分野】
【０００１】
本発明は、歯ブラシ保持具に関するものであり、特に歯ブラシのヘッドを下向きにして保持可能な歯ブラシ保持具に関するものである。
【背景技術】
【０００２】
歯ブラシは、歯磨きを行った後洗浄することによって、水に濡れている状態となっている。この水に濡れた歯ブラシを、例えば、コップや洗面台に設けられた歯ブラシ立てに入れておくと、時間経過とともにコップや歯ブラシ立てが汚れ不衛生となってしまうことがある。
【０００３】
加えて、歯ブラシのヘッドにおいて、密集している毛の間に残っている水分と歯磨き粉がネック及びハンドルを伝うことで、ネック及びハンドルも再び汚れ、歯ブラシ自体が不衛生となってしまうこともある。
【０００４】
このような不衛生な状態を回避するために、歯ブラシを十分に流水で洗浄後、歯ブラシを上下に振ることで十分な水切りを行うことも考えられる。しかしながら、外出の準備で忙しい朝などでは、歯ブラシの十分な洗浄及び水切りに時間を割く余裕がないこともある。また、歯ブラシを上下に振ることで、鏡などに水滴が飛び、その水滴の拭き取りが必要になることもある。
【０００５】
上記のような問題点を解決するものとして、特許文献１に示す歯ブラシハンガーがある。この歯ブラシハンガーは、ハンガー本体の歯ブラシ逆吊下げ部に被磁着体を設け、前記被磁着体に歯ブラシ柄端部にホルダーを介して設けたマグネットを磁着せしめて歯ブラシを逆吊りに取付けるようになっている。
【先行技術文献】
【特許文献】
【０００６】
【特許文献１】特開２００２−２３８７８６号公報
【発明の概要】
【発明が解決しようとする課題】
【０００７】
しかしながら、このような歯ブラシハンガーでは、歯磨き中又は歯ブラシの洗浄中に歯ブラシ柄端部とホルダーとの間に水が浸入することによって、歯ブラシ柄端部とホルダーとの間にカビ等が発生して不衛生となる場合があるという問題がある。
【０００８】
また、歯ブラシを逆吊りにすることで、歯ブラシ柄端部とホルダーとの間に存在するカビを含む液体が歯ブラシを伝って、ヘッドに向かって流れてしまう可能性がある。そのため、口に入れる歯ブラシのヘッドが不衛生となる場合があるという問題がある。
【０００９】
さらに、逆吊りにされた歯ブラシに接触すると、被磁着体からマグネットが外れ歯ブラシが落下する場合があるという問題がある。
【００１０】
そこで、上記点より本発明は、歯ブラシのヘッドを下向きにして歯ブラシを清潔に保持可能であって、歯ブラシからの水垂れが直接洗面台の洗面器及び台所のシンクの内部、並びに、浴室床に落下するようになっており、保持された歯ブラシが突然落下することを防止できる歯ブラシ保持具を提供することを目的とする。
【課題を解決するための手段】
【００１１】
上記課題を解決するため、請求項１の歯ブラシ保持具は、歯ブラシのヘッドを下向きにして保持可能な歯ブラシ保持具であって、台座と、台座から上方に延びるシャフト部と、このシャフト部の前記台座に近い位置に前記シャフト部の軸線を中心に回動自在に取り付けられており、前記シャフト部の軸線から離れた位置まで延出した先端に、前記歯ブラシのネックから前記歯ブラシのハンドルにかけて歯ブラシの横断面の面積が増大する部分を引っ掛けることができる把持部と、前記シャフト部の上端に近い位置に前記シャフト部の軸線を中心に回動自在に取り付けられており、前記把持部の上方で前記歯ブラシのハンドルが立てかけられた状態で支持可能な支持部とを有する。
【００１２】
請求項１の歯ブラシ保持具によれば、歯ブラシのヘッドを下向きにして保持可能であるので、歯ブラシを使用後に歯ブラシの洗浄及び水切りが例え十分でなくても、ヘッドの密集している毛の間に残っている水分と歯磨き粉がヘッドの先端から直接落下する。密集している毛の間に残っている水分と歯磨き粉がネック及びハンドルを伝うことがないので、歯ブラシを清潔に保持可能となる。
【００１３】
また、請求項１の歯ブラシ保持具によれば、歯ブラシを上下に振ることに時間を費やさなくても、歯ブラシ保持具に歯ブラシを保持させて置くだけで、歯ブラシが十分に水切りを行うことができる。
【００１４】
さらに、請求項１の歯ブラシ保持具によれば、前記シャフト部の軸線から離れた位置まで延出した先端に、前記歯ブラシのネックから前記歯ブラシのハンドルにかけて歯ブラシの横断面の面積が増大する部分を引っ掛けることができる。歯ブラシのヘッドが、洗面台の洗面器及び台所のシンクの内部、並びに、浴室床の上方に飛び出した状態となるように歯ブラシ保持具を設置すると、歯ブラシからの水垂れが直接洗面台の洗面器及び台所のシンクの内部、並びに、浴室床に落下する。洗面台の洗面器及び台所のシンクの内部、並びに、浴室床は、水濡れしても問題がなく、容易に洗浄可能である。
【００１５】
加えて、請求項１の歯ブラシ保持具によれば、上記のように歯ブラシのネックからハンドルにかけて歯ブラシの横断面の面積が増大する部分が把持部に引掛けられ、前記把持部の上方で前記歯ブラシのハンドルが支持部に立てかけられる。そのため、歯ブラシは歯ブラシ保持具に安定して保持され、保持された歯ブラシが突然落下することを防止できる。
【００１６】
請求項２の歯ブラシ保持具は、請求項１の歯ブラシ保持具において、前記把持部の先端近傍には、Ｉ型歯間ブラシのヘッドを下向きにした保持可能な歯間ブラシ保持孔が形成されている。
【００１７】
請求項２の歯ブラシ保持具によれば、請求項１の歯ブラシ保持具と同様に作用する上に、歯間ブラシ保持孔が把持部の先端近傍に設けられていることによって、Ｉ型歯間ブラシからの水垂れが直接洗面台の洗面器及び台所のシンクの内部、並びに、浴室床に落下する。洗面台の洗面器及び台所のシンクの内部、並びに、浴室床は、水濡れしても問題がなく、容易に洗浄可能である。
【００１８】
請求項３の歯ブラシ保持具は、請求項１又は２の歯ブラシ保持具において、前記シャフト部の軸線を中心に回動自在に取り付けられており、前記シャフト部の軸線から離れた位置において、コップの開口が下向きになるように引っ掛けることができるコップ掛けをさらに有する。
【００１９】
請求項３の歯ブラシ保持具によれば、請求項１又は２の歯ブラシ保持具と同様に作用する上に、前記シャフト部の軸線から離れた位置において、コップの開口が下向きになるように引っ掛けることができる。そのため、歯ブラシ保持具のコップ掛けにコップを引っ掛けるだけで十分に水切りを行うことができる。
【００２０】
また、請求項３の歯ブラシ保持具によれば、請求項１又は２の歯ブラシ保持具と同様に作用する上に、コップの開口も、洗面台の洗面器及び台所のシンクの内部、並びに、浴室床の上方に飛び出した状態となるように歯ブラシ保持具を設置すると、コップからの水垂れが直接洗面台の洗面器及び台所のシンクの内部、並びに、浴室床に落下する。
【００２１】
請求項４の歯ブラシ保持具は、請求項１乃至３のいずれかの歯ブラシ保持具において、前記シャフト部の軸線から延出している前記把持部の先端までの長さは、調節可能となっている。
【００２２】
請求項４の歯ブラシ保持具によれば、請求項１乃至３のいずれかの歯ブラシ保持具と同様に作用する上に、歯ブラシ保持具の接地した場所と洗面台の洗面器及び台所のシンクの内部、並びに、浴室床との距離の長短に対応することができる。
【発明の効果】
【００２３】
請求項１乃至４いずれかの歯ブラシ保持具は、歯ブラシのヘッドを下向きにして歯ブラシを清潔に保持可能であって、歯ブラシからの水垂れが直接洗面台の洗面器及び台所のシンクの内部、並びに、浴室床に落下するようになっており、保持された歯ブラシが突然落下することを防止できる。
【図面の簡単な説明】
【００２４】
【図１】本発明の一実施形態の歯ブラシ保持具の正面図である。
【図２】図１の歯ブラシ保持具の側面図である。
【図３】図１の歯ブラシ保持具の平面図である。
【図４】本発明の別の実施形態の歯ブラシ保持具の平面図である。
【発明を実施するための形態】
【００２５】
本発明の一実施形態の歯ブラシ保持具１について、図面に基づいて説明する。図１乃至図４においては、歯ブラシ保持具１の形状及び構成が理解しやすいように、一部の歯ブラシ６を二点鎖線で表して、歯ブラシ保持具１の一部の形状及び構成が実線で表している。
【００２６】
歯ブラシ保持具１は、台座２と、台座２から上方に延びるシャフト部３と、シャフト部３の台座２に近い位置にシャフト部３の軸線を中心に回動自在に取り付けられている把持部４と、シャフト部３の上端に近い位置にシャフト部３の軸線を中心に回動自在に取り付けられている支持部５とを有する。
【００２７】
この歯ブラシ保持具１に保持される歯ブラシ６は、使用者が手で持つハンドル６３と植毛されているヘッド６１と、ハンドル６３とヘッド６１を繋ぐネック６２とを有する。
歯ブラシ保持具１は、図１及び図２に示すように、歯ブラシ６のヘッド６１を下向きにして保持可能となっている。
【００２８】
台座２は、図１乃至図３に示すように、円柱形である。台座２は、台座２の底面を平らな面においた場合に歯ブラシ保持具１が容易に倒れないような重さとなっている。
【００２９】
シャフト部３は、図３に示すように、台座２の円柱の軸線とシャフト部３の軸線とが同一直線となるように、台座２の上面から上方に延びている。
【００３０】
シャフト部３は、図１及び図２に示すように、中心軸３１と、下スペーサ３２、上スペーサ３３及び軸線方向押圧調節キャップ３４とからなる。下スペーサ３２及び上スペーサ３３は中心軸３１が貫通している。中心軸３１の上端に軸線方向押圧調節キャップ３４が取り付けられている。
【００３１】
把持部４は、図１乃至図３に示すように、複数枚の板材からなる。
【００３２】
図３に示すように、把持部４の各板材の基端近傍には、基端から先端に向かう長軸を有する長孔４１が形成されている。図１及び図２に示すように、把持部４の各板材は、この長孔４１にシャフト部３の中心軸３１が貫通した状態で、後述するコップ掛け７と共に下スペーサ３２及び上スペーサ３３の間に挟まれている。
【００３３】
軸線方向押圧調整キャップ３４によって、下スペーサ３２及び上スペーサ３３の軸線方向の押圧を緩和させると、把持部４の各板材はシャフト部３の軸線を中心に回動させることができる。軸線方向押圧調整キャップ３４によって、下スペーサ３２及び上スペーサ３３の軸線方向の押圧を強くさせると、把持部４の各板材は、例えば図３に示すように、上面視で、各板材が異なる方向に延出した状態で固定することができる。これに対して、把持させる歯ブラシの本数に応じて、上面視で、把持部４の一部又は全部の板材が完全に重なった状態で固定することも可能である。
【００３４】
軸線方向押圧調整キャップ３４によって、下スペーサ３２及び上スペーサ３３の軸線方向の押圧を緩和させると、長孔４１においてシャフト部３の中心軸３１の貫通する位置を変化させて、シャフト部３の軸線から把持部４の各板材の先端までの距離を変化させることができる。軸線方向押圧調整キャップ３４によって下スペーサ３２及び上スペーサ３３の軸線方向の押圧を強くさせると、シャフト部３の軸線から把持部４の各板材の先端までの距離が任意の距離となった状態で固定することができる。
【００３５】
図３に示すように、把持部４の各板材のシャフト部２の軸線から離れた位置まで延出した先端には、先端から基端に向かって凹み４２が形成されている。把持部４の各板材の上面視において、凹み４２は先端から基端に向かって一旦狭まって、その一旦狭まった部分の奥が円弧状となっている。
【００３６】
凹み４２の上面視で円弧状となっている部分に歯ブラシ６のネック６２を挿入すると、重力によって歯ブラシ６のネック６２からハンドル６３にかけて歯ブラシ６の横断面の面積が増大する部分が円弧状の部分に嵌る。この円弧状の部分に嵌った歯ブラシ６は、歯ブラシ６の横断面の面積が増大する部分が凹み４２の一旦狭まった部分によって、凹み４２から抜けないようになっている。歯ブラシ６を重力に逆らって持ち上げれば、横断面の面積が小さい歯ブラシ６のネック６２を凹み４２の一旦狭まった部分から通過させて、凹み４２に歯ブラシ６を引っ掛かった状態から脱することができる。
【００３７】
把持部４の各板材の先端近傍には、Ｉ型歯間ブラシのヘッドを下向きにした保持可能な歯間ブラシ保持孔４３が形成されている。
【００３８】
支持部５は、図３に示すように、上面視で略扇形の板材である。支持部５は、上面視で略扇形の要に該当する部分近傍に孔が形成されている。図１及び図２に示すように、支持部５は、この孔にシャフト部３の中心軸３１が貫通した状態で上スペーサ３３及び軸線方向押圧調節キャップ３４との間で挟まれている。つまり、把持部４の上方に支持部５が位置している。
【００３９】
シャフト部３の軸線から支持部５の上面視で扇形の弧に該当する部分までの距離は、シャフト部３の軸線から把持部４の各板材の先端の凹み４２までの距離より短くなっている。これにより、歯ブラシ保持具１は、図１及び図２に示すように、歯ブラシ６を傾けた状態で保持することができる。
【００４０】
支持部５は、上面視で略扇形の弧に該当する部分に複数の窪み５１が形成されている。
この窪み５１には、支持部５に立てかけられた歯ブラシ６のハンドル６３が当接するようになっている。窪み５１によって、歯ブラシ６のハンドル６３が、一定の位置で支持部５に立てかけられるようになっている。
【００４１】
歯ブラシ保持具１は、さらにコップ掛け７を有する。コップ掛け７は、図１乃至図４に示すように、シャフト部３の軸線を中心に回動自在に取り付けられている。コップ掛け７は、図３に示すように、上面視で略Ｌ字状となっている板材である。コップ掛け７の基端側に孔が形成されている。コップ掛け７は、図１及び図２に示すように、シャフト部３の中心軸３１がコップ掛け７の基端側に孔に貫通した状態で、下スペーサ３２と上スペーサ３３との間で挟まれている。
【００４２】
コップ掛け７は、図１乃至図３に示すように、Ｌ字の屈曲部分から先端にかけては、上方に傾斜している。コップ掛け７の傾斜している部分にコップ８を引っ掛けることができるようになっている。このコップ掛け７の傾斜している部分によって、シャフト部３の軸線から離れた位置において、コップ８の開口が下向きになるようにコップ８を引っ掛けることができる。
【００４３】
上記実施形態において、台座２が円柱形である場合について説明したが、これに限定されることはない。台座は、四角柱等の他の立体形状であってもよい。
【００４４】
上記実施形態において、台座２は、台座２の底面を平らな面においた場合に歯ブラシ保持具１が容易に倒れないような重さとなっている場合について説明したが、これに限定されることはない。台座は、底面又は側周面に吸盤や磁石が設けられていてもよい。
【００４５】
台座の底面に吸盤や磁石が設けられていている場合は、台座の底面を歯ブラシ保持具を置く面に固定することができ、歯ブラシ保持具が容易に倒れないようにすることができる。また、台座の側周面に吸盤や磁石が設けられていている場合は、台座を壁面に固定することができ、同様に歯ブラシ保持具が容易に倒れないようにすることができる。
【００４６】
上記実施形態において、中心軸３１と、下スペーサ３２、上スペーサ３３及び軸線方向押圧調節キャップ３４とからなる場合について説明したが、これに限定されることはない。中心軸と、３個以上のスペーサと軸線方向押圧調節キャップとからなってもよい。把持部及び支持部が挟まれる位置を変えることができるので、歯ブラシを保持する高さを変更することができる。
【００４７】
上記実施形態において、軸線方向押圧調整キャップ３４によって、下スペーサ３２及び上スペーサ３３の軸線方向の押圧を調整する場合について説明したが、これに限定されることはない。例えばネジ等の他の手段を利用して、軸線方向の押圧を調整できるようになっていてもよい。
【００４８】
上記実施形態において、把持部４は、図１乃至図３に示すように、３枚の板材からなる場合について説明したが、これに限定されることはない。把持部は、２枚又は４枚以上の板材からなってもよい。
【００４９】
上記実施形態において、把持部４は複数の板材からなる場合について説明したが、これに限定されることはない。把持部４は、図４に示すように、上面視で略扇状の１枚の板材からなっていてもよい。この略扇状の１枚の板材には、上面視で略扇形の弧に該当する部分に、上記実施形態で説明した凹み４２が所定間隔を空けて複数形成されている。なお、図４において、上記実施形態と同一の符号の部分については、上記実施形態での説明がそのまま援用されるとともに、その説明に限定されることなく種々の改変が可能である。
【００５０】
上記実施形態において、把持部４の凹み４２は、上面視で図３に示す形状となっている場合について説明したがこれに限定されることはない。把持部の凹みは、歯ブラシが引掛けられる形状であれば、他の形状であってもよい。
【００５１】
上記実施形態において、支持部５は、図３に示すように、上面視で略扇形の板材である場合について説明したが、これに限定されることはない。支持部は、歯ブラシのハンドルが立てかけられた状態で支持可能な形状であれば、他の形状であってもよい。
【００５２】
上記実施形態において、支持部５の窪みは、図３及び図４に示すような形状である場合について説明したが、これに限定されることはない。支持部の窪みは、一定の位置で支持部５に立てかけられるようになっていれば、他の形状であってもよい。
【符号の説明】
【００５３】
１    歯ブラシ保持具
２    台座
３    シャフト部
４    把持部
５    支持部
６    歯ブラシ
７    コップ掛け
８    コップ
３１  中心軸
３２  下スペーサ
３３  上スペーサ
３４  軸線方向押圧調節キャップ
４１  長孔
４２  凹み
４３  歯間ブラシ保持孔
５１  窪み
６１  ヘッド
６２  ネック
６３  ハンドル
【図１】
2018029812.tif 000003
【図２】
2018029812.tif 000004
【図３】
2018029812.tif 000005
【図４】
2018029812.tif 000006
【手続補正書】
【提出日】平成28年11月10日(2016.11.10)
【手続補正１】
【補正対象書類名】特許請求の範囲
【補正対象項目名】全文
【補正方法】変更
【補正の内容】
【特許請求の範囲】
【請求項１】
歯ブラシのヘッドを下向きにして保持可能な歯ブラシ保持具であって、
台座と、
この台座から上方に延びるシャフト部と、
このシャフト部の前記台座に近い位置に前記シャフト部の軸線を中心に回動自在に取り付けられており、前記シャフト部の軸線から離れた位置まで延出した先端に、前記歯ブラシのネックから前記歯ブラシのハンドルにかけて歯ブラシの横断面の面積が増大する部分を引掛けることができる把持部と、
前記シャフト部の上端に近い位置に前記シャフト部の軸線を中心に回動自在に取り付けられており、前記把持部の上方で前記歯ブラシのハンドルが立てかけられた状態で支持可能な支持部とを有することを特徴とする歯ブラシ保持具。
【請求項２】
前記把持部の先端近傍には、Ｉ型歯間ブラシのヘッドを下向きにした保持可能な歯間ブラシ保持孔が形成されていることを特徴とする請求項１に記載の歯ブラシ保持具。
【請求項３】
前記シャフト部の軸線を中心に回動自在に取り付けられており、前記シャフト部の軸線から離れた位置において、コップの開口が下向きになるように引掛けることができるコップ掛けをさらに有することを特徴とする請求項１又は２に記載の歯ブラシ保持具。
【請求項４】
前記シャフト部の軸線から延出している前記把持部の先端までの長さは、調節可能となっていることを特徴とする請求項１乃至３のいずれかに記載の歯ブラシ保持具。